(57)【要約】【課題】従来のプッシュラッチ装置の突出位置と収納位置は凹部習い溝とレバーピンによる切替構造から本発明の位置切替回転コマによる構造とすることによる、プッシュラッチ装置の小型化を可能にする。【解決手段】内周に内周螺旋１４と突起１５を有し、ネジにより固定が可能な取付ベース１３と、外周に外周螺旋１６と交差する位置固定凹部１７を有するボディケース６と、突出位置と収納位置とにわたって、ボディケース６内に突出収納が自在に装着されたホルダー７と、ホルダー７を突出位置と収納位置とに交互に位置切替する位置切替回転コマ１０と、ホルダー７の前端部の両側に固定され、突端がホルダー７の前部に収納位置にて保持し、ホルダー７をコイルバネ１１の反力の突出速度により突出位置にてラッチ受け３より開放可能な爪９を有するホルダー７を備えたことを特徴とするプッシュラッチ装置。【選択図】  図２
2011190637.tif 000002
【特許請求の範囲】
【請求項１】
取付ベースは内周に内周螺旋と突起を有し左右に突出状に延び、ネジにより固定が可能な鍔部を形成し、外周に外周螺旋と交差する位置固定凹部を有する前端が開口したボディケースと前記ボディケース内に収納した収納位置とボディケースから前方へ突出した突出位置とにわたってボディケース内に突出収納が自在に装着されたホルダーと前記ホルダーを収納位置よりも後方の解除位置に押出操作する毎に、ホルダーと突出位置と収納位置とに交互に位置切り替えする位置切替回転コマによる手段と、前記ホルダーの前端部に収納位置にて保持し、ホルダーをコイルバネの反力の突出速度により突出位置にてラッチ受けより開放可能な爪を有するホルダーを備えたことを特徴とするプッシュラッチ装置。
【請求項２】
請求項１記載の取付ベース内周に内周螺旋及びボディケース外周に外周螺旋により無段階に前後調節及び位置固定凹部を設けたことを特徴とする請求項１記載のプッシュラッチ装置。
【請求項３】
請求項１記載の位置切替回転コマをホルダーに嵌合させ、ホルダーの収納位置時にホルダーと位置切替回転コマを勘合し遊びを最小限に留めたことを特徴とする請求項１記載又は請求項２記載のプッシュラッチ装置。
【請求項４】
請求項１記載のホルダーの前端部に有する爪はホルダーを収納位置に保持した状態で、ヒンジ効果によりラッチ受けの球状頭部を保持位置に保持し、ホルダーを突出位置に保持した状態で、保持されたラッチ受けの球状頭部を突出速度により突出位置にてラッチ受けより保持開放するホルダーとを特徴とする。請求項１記載又は請求項２記載及び請求項３記載のプッシュラッチ装置。
【発明の詳細な説明】
【技術分野】
【０００１】
構造が簡単で組立性も良く、保持力の高い小型プッシュラッチ装置を提供する。
【背景技術】
【０００２】
扉のロック装置に多く使用されるプッシュラッチ装置として前端開口部が開放されたボディケースと、ボディケース内に収納した収納位置とボディケースから前方へ突出した突出位置とにわたって移動自在に構成された一面にハート形形状の形成された凹部ガイド溝のスライド部材と、スライド部材を突出位置へ付勢するコイルバネと、一端部がボディケースに摺動され他端部に凹部ガイド溝に沿って摺動可能な系合部を有するレバーピン部材とを備え、スライド部材を押し操作すると、系合部が凹部ガイド溝に沿って移動して凹部ガイド溝の略Ｖ状の系止部に系合され、押し操作した後収納位置にスライド部材が保持され、同じように押し操作すると、系合部が系止位置から離脱して凹部ガイド溝に沿って摺動し、ボディケースから突出した突出位置にスライド部材が保持されるように構成したものが広く実用化されている。                                                  
【先行技術文献】
【特許文献】
【０００３】
【特許文献１】実公平７−４７４７
【発明の概要】
【発明が解決しようとする課題】
【０００４】
前記公報に記載のプッシュラッチ装置では、移動自在に構成された一面にハート形状の形成された凹部ガイド溝および、凹部ガイド溝に沿って摺動するレバーピンが必須の部材でありそれを省略することが不可能なので、その分部品点数が多くなるとともに、レバーピン部材の係合部を支持部の凹部に係合させつつリング部材を装着する関係上、リング部材の組付作業が大変煩雑になり、プッシュラッチ装置の生産性が大幅に低下するという問題がある。
本発明の目的は、部品点数が少なくしかも容易に組立可能な小型プッシュラッチ装置を提供することである。
【課題を解決するための手段】
【０００５】
取付ベースは内周に内周螺旋と突起を有し左右に突出状に延び、ネジにより固定が可能な鍔部を形成し、外周に外周螺旋と交差する位置固定凹部を有する前端が開口したボディケースと前記ボディケース内に収納した収納位置とボディケースから前方へ突出した突出位置とにわたってボディケース内に突出収納が自在に装着されたホルダーと前記ホルダーを収納位置よりも後方の解除位置に押出操作する毎に、ホルダーと突出位置と収納位置とに交互に位置切り替えする位置切替回転コマによる手段と、前記ホルダーの前端部に収納位置にて保持し、ホルダーをコイルバネの反力の突出速度により突出位置にてラッチ受けより開放可能な爪を有するホルダーを備えたことを特徴とするプッシュラッチ装置。
【０００６】
請求項１記載の取付ベース内周に内周螺旋及びボディケース外周に外周螺旋により無段階に前後調節及び位置固定凹部を設けたことを特徴とする請求項１記載のプッシュラッチ装置。
【０００７】
請求項１記載の位置切替回転コマをホルダーに嵌合させ、ホルダーの収納位置時にホルダーと位置切替回転コマを勘合し遊びを最小限に留めたことを特徴とする請求項１又は請求項２記載のプッシュラッチ装置。                    
【０００８】
請求項１記載のホルダーの前端部に有する爪はホルダーを収納位置に保持した状態で、ヒンジ効果によりラッチ受けの球状頭部を保持位置に保持し、ホルダーを突出位置に保持した状態で、保持されたラッチ受けの球状頭部を突出速度により突出位置にてラッチ受けより保持開放するホルダーとを特徴とする。請求項１記載又は請求項２記載及び請求項３記載のプッシュラッチ装置。
（作用）
【０００９】
プッシュラッチ装置５の作用について説明する。キャビネット１等に設置されたプッシュラッチ装置５における扉の開位置及びプッシュラッチ装置５の収納位置にある開閉扉２を展開するときには、開閉扉２とともにホルダー７をホルダー７の収納位置よりも後方の解除位置２８まで押し、即座に手を離すとコイルバネ１１の反力とホルダー７の突出速度により突出位置２９にてラッチ受け３より開放し、開閉扉２は扉の縁部を手で保持できる適度の空間を有し、また、開位置にある開閉扉２を格納するときは、開閉扉２とともに手で押し、ホルダー７の突出位置２９まで操作して、更に開閉扉２をホルダー７とともにそのまま押し操作し、位置切替回転コマ１０によりホルダー７を収納位置の谷部位置２７に保持させることでホルダー７の先端部に有する爪９と、ボディケース６の内径により、ホルダー７の先端部に有する爪９は爪９下部のヒンジ３２の樹脂のヒンジ効果によりラッチ受け３の球状頭部８を保持したままボディケース６内部に保持され、開閉扉２が閉位置に保持されることになる。
【００１０】
ホルダー７においては、ホルダー先端部に数個の爪９を有し、爪９はホルダー７と一体成形され、一体成形された爪９の下端部については樹脂肉厚を変化させ、樹脂の弾性限界内に適度に開閉するヒンジ効果を利用し、ラッチ受け３に確実に保持し、収納位置における爪９の保持力は十分に確保されることになり、収納位置における爪９とラッチ受けに有する球状頭部８間には自在に前後左右に調整できる空間を有し、ホルダー７とラッチ受け３の位置関係等による設置誤差も吸収する。
【００１１】
取付ベース１３は略円筒状の内周に内周螺旋１４と突起１５を有し左右に突出状に延びる鍔部１８を形成し、外周に外周螺旋１６と交差する位置固定凹部１７を有するボディケース６を取付ベース１３の略円筒状の内周の内周螺旋１４に装着し構成され、ボディケース６を回転させることによりボディケース６が取付ベース１３に対して回転前後方向に移動でき、ボディケース６の外周に外周螺旋１６と交差する位置固定用凹部１７と、取付ベース１３の突起１５が嵌合する。
【００１２】
プッシュラッチ装置５は、図２〜図５に示すように、前端が開口した略円筒のボディケース６と、ボディケース６に収納した収納位置（図３、図４参照）とボディケース６から前方へ突出した突出位置（図５参照）とにわたってボディケース６内に突出収納が自在に装着されたホルダー７とホルダー７を収納位置よりも後方の解除位置（図６参照）に押し操作する毎に、ホルダー７と突出位置と収納位置とに交互に位置切替する位置切替回転コマ１０と、ホルダー７の前端部に有する爪９はホルダー７を収納位置に保持した状態で、ヒンジ効果によりラッチ受け３の球状頭部８を保持位置に保持し、ホルダー７を突出位置に保持した状態で、保持されたラッチ受け３の球状頭部８を突出速度により突出位置にてラッチ受け３より保持開放するホルダー７とを備えている。
【００１３】
位置切替手段について説明すると、図２〜図６に示すように、ホルダー７の後端部近傍部は三角波状の三角環状形状２０と周方向に形成される突部２１が形成され、位置切替回転コマ１０の周方向に形成される突部端面２２にホルダー７後端部近傍の三角環状形状２０と同等に形成された斜辺形状２５が摺動装着され、ボディケース６内周に形成された凹部２３へホルダー７の周方向に形成される突部２１と位置切替回転コマ１０の周方向に形成される突部２４が装着され、ホルダー７の突出位置においては、位置切替回転コマ１０周方向に形成される突部２４の突部端面２２に形成された斜辺形状２５はホルダー７の後部近傍付近に三角波状に形成される三角環状形状２０の端部斜辺に中央近傍２６で装着され、位置切替回転コマ１０後端部とボディケース６後端部に嵌合されるフタ１２に装備されるコイルバネ１１の反力により、ホルダー７後部近傍付近に形成される三角環状形状２０と位置切替回転コマ１０の周方向に形成される突部端面２２に形成された斜辺形状２５はホルダー７の後部近傍付近に三角波状に形成される三角環状形状２０の端部斜辺中央近傍２６に摺動接触し常に回転モーメントが発生し、位置切替回転コマ１０に回転させる作用を発生させる。
【００１４】
収納手段について説明すると、図２〜図６に示すように、ホルダー７の収納位置においては、位置切替回転コマ１０の周方向に形成される突部２４がホルダー７をボディケース６の内周にのこぎり波形状に成形される後端の先端山部位置１９より解除される収納位置よりも後方の解除位置２８（図６参照）に押し操作する毎に、ホルダー７を収納位置と突出位置とに交互に位置切替えする切替手段の山部１９に位置切替回転コマ１０の突部端面２２に形成される斜辺形状２５がボディケース６の内周にのこぎり波形上に形成される後端の山部位置１９より後方に押し操作され、位置切替回転コマ１０は後端部とボディケース６後端部に嵌合されるフタ１２に装備されるコイルバネ１１の反力により、常に回転モーメントが発生することにより、位置切替回転コマ１０の突部端面２２に形成される斜辺形状２５がボディケース６の内周にのこぎり波形状に形成される後端の山部位置１９を越え、谷部位置２７に制御されることによりホルダー７は収納位置（図３）に位置決め装着される。
【００１５】
収納位置解除手段について説明すると、図２〜図６に示すように、ホルダー７に嵌合した位置切替回転コマ１０とコイルバネ１１は、位置切替回転コマ１０とホルダー７とホルダー７の周方向に形成される突部２１によってボディケース６内周に形成された凹部２３に摺動装備され、突出位置においては、位置切替回転コマ１０は略ホルダー７後端部三角環状形状２０及び位置切替回転コマ１０突出部端部斜辺形状２５により、位置切替回転コマ１０は常に回転モーメントを発生するが、前述のボディケース６内周に形成された凹部２３により、位置切替回転コマ１０に発生する回転モーメントはボディケース６内筒に形成される凹部２３により位置切替回転コマ１０は制御され、突出位置より装備されたホルダー７前端部を押し操作することにより、ボディケース６内周に装備された位置切替回転コマ１０の周方向に形成される突部端部２２に形成される斜辺形状２５先端は、ボディケース６内周に形成された凹部２３を摺動し、ボディケース６内周にノコギリ波形状に形成される三角状の斜辺突端１９を越えると、ホルダー７後端部と位置切替回転コマ１０コイルバネ１１の反力によって発生する回転モーメントにより、ボディケース６内周に形成されるノコギリ波に形成される三角状の斜辺谷部位置２７に、位置切替回転コマ１０の周方向に形成される突部端部２２が固定制御され、ホルダー７の収納位置が制御される。
【発明の効果】
【００１６】
従来のプッシュラッチ装置は、位置切替の構造については、従来のプッシュラッチ等に有するスライドに係わる構造として凹部習い溝およびその凹部習い溝に摺動するレバーピンにてホルダーのスライドおよび位置切替を決定し、かつ、凹部習い溝を形成する形状によってその構成上、プッシュラッチの外径形状が制約される。                        
【００１７】
ここで、本考案のプッシュラッチ装置は、既存のプッシュラッチにおける凹部習い溝およびレバーピンの代用として、略ボディケースに成形される形状と略位置切替回転コマに形成される形状によりスライド及び位置切替が可能であることにより、位置切替回転コマの任意の直径及びボディケース直径により、それを構成するプッシュラッチの小型化が容易に構成することが可能となる。
【００１８】
また、ラッチ受けを確実に保持するために、ホルダーのツメ部を３カ所以上有するものとし、あらゆる方向性に対する保持力を備えるとともに、ラッチ受けの保持力を確保するために、頭部を球形状とし確実な保持力を有し、かつ、球形状における設置時の方向性及び設置の易さを向上することができる構造が設けられている。
【図面の簡単な説明】
【００１９】
【図１】キャビネットの鳥瞰図
【図２】プッシュラッチ装置の分解図
【図３】収納位置におけるプッシュラッチ装置の作動説明図
【図４】プッシュラッチ装置の要部縦断面図
【図５】突出位置におけるプッシュラッチ装置の作動説明図
【図６】ボディケースの展開図
【図７】参考図
【発明を実施するための形態】
【００２０】
以下、本発明の実施例について図面を参照しながら説明すると、本実施例はオーディオラック、収納棚等のキャビネットに本発明を適用したものであり、図１に示すようにキャビネット１には左右１対の開閉扉２が回転自在に支持され、左右の開閉扉２の遊端部の上端近傍部には球状頭部８からなる受け具のラッチ受け３が取り付けられ、キャビネット１のラッチ受け３に対応する位置にはプッシュラッチ装置５が取り付けられており、本実施例では、キャビネット１の天板４の下面にプッシュラッチ装置５を左右両側へ突出状に延びる鍔部１８を設けて、この鍔部１８をネジ等でキャビネット１に固定してもよい。
【符号の説明】
【００２１】
１  キャビネット                                                               ２  開閉扉
３  ラッチ受け
４  天板
５  プッシュラッチ装置
６  ボディケース
７  ホルダー
８  球状頭部
９  爪
１０  位置切替回転コマ
１１  コイルバネ
１２  フタ
１３  取付ベース
１４  内周螺旋
１５  突起
１６  外周螺旋
１７  位置固定凹部
１８  鍔部
１９  山部位置
２０  三角環状形状
２１  突部
２２  突部端面
２３  凹部
２４  突部
２５  斜辺形状
２６  中央近傍
２７  谷部位置
２８  解除位置
２９  突部位置
３０  ヒンジ
【図１】
2011190637.tif 000003
【図２】
2011190637.tif 000004
【図３】
2011190637.tif 000005
【図４】
2011190637.tif 000006
【図５】
2011190637.tif 000007
【図６】
2011190637.tif 000008
【図７】
2011190637.tif 000009